(57)【要約】【課題】１つのお湯用水路と１つの冷水用水路と、１つのお湯用電磁弁と１つの冷水用電磁弁との少ない部品によりお湯、冷水、暖かいお茶および冷たいお茶の４種類が抽出でき、部品点数を減らして安価な給茶器を提供することを目的。する。【解決手段】湯タンク１に取付けられ湯タンク１内の湯を導出させるお湯用電磁弁を有する１つのお湯用水路４を設ける。冷水機７に取付けられ冷水機７で造られた冷水を導出させる冷水用電磁弁１２を有する１つの冷水用水路１０を設ける。原料容器１４から排出された茶の葉を受け入れる茶漉し網１８を設ける。お湯または冷水を抽出する場合は茶漉し網１８を待機位置に移動させ抽出を行う。暖かいお茶または冷たいお茶を抽出する場合は茶漉し網１８を抽出位置に移動させ抽出を行う。茶殻を交換させる場合は茶漉し網１８を排茶位置に移動反転させ手茶殻を捨て、その後茶漉し網１８に新しいお茶の葉を供給させて待機位置に移動させる。【選択図】          図１
2004208743.tif 000002
【特許請求の範囲】
【請求項１】
湯タンクと、この湯タンクに取付けられ湯タンク内の湯を導出させる１つのお湯用水路と、このお湯用水路に設けられ湯の抽出を行うお湯用電磁弁と、冷水機と、この冷水機に取付けられ冷水機で造られた冷水を導出させる１つの冷水用水路と、この冷水用水路に取り付けられ冷水の抽出を行う冷水用電磁弁と、茶の葉を収容する原料容器と、この原料容器から排出された茶の葉を受け入れる茶漉し網と、お湯、冷水、暖かいお茶、および冷たいお茶を選択する選択ボタンとを有し、この選択ボタンの操作によりお湯または冷水の抽出が選択された場合は茶漉し網を待機位置に移動させ、暖かいお茶または冷たいお茶の抽出が選択された場合は茶漉し網を抽出位置に移動させ、茶殻を交換させる場合は茶漉し網を排茶位置に移動反転させる制御装置を設けたことを特徴とする給茶機。
【発明の詳細な説明】
【０００１】
本発明は、お湯、冷水、暖かいお茶および、冷たいお茶の４種類を抽出する給茶機に関する。
【０００２】
【従来技術】
従来、お湯、冷水、暖かいお茶および冷たいお茶の４種類を抽出する給茶機は図４に示されているように、１は湯タンクで、この湯タンク１内にヒータ２を内蔵するとともに、湯タンク１内の外側に第１のお湯用水路３と、第２のお湯用水路４が取り付けられ、この第１のお湯用水路３と第のお湯用水路４には夫々第１のお湯用電磁弁５と第２のお湯用電磁弁６が設けられている。７は冷水機で、この冷水機７は冷水タンク８の底部外周に図示しない冷凍サイクルの冷却用コイル９が巻回されている。また、冷水タンク８の外側には第１の冷水用水路１０と、第２の冷水用水路１１が取り付けられ、この第１の冷水用水路１０と第２の冷水用水路１１には夫々第１の冷水用電磁弁１２と第２の冷水用電磁弁１３が設けられている。１４は茶の葉を収容する原料容器でモータ１５により駆動されるスクリュー１６が内蔵されている。１７は茶の葉交換機構で茶漉し網１８を有し、この茶漉し網１８を反転させて茶殻を適宜交換させるようになっている。
【０００３】
１９は操作部で、この操作部１９にはお湯を抽出させる温水ボタン２０ａ、冷水を抽出させる冷水ボタン２０ｂ、暖かいお茶を抽出させる湯茶ボタン２０ｃおよび、冷たいお茶を抽出させる冷茶ボタン２０ｄからなる選択ボタン２０が設けられている。２１は制御装置で、この制御装置２１は選択ボタン２０から選択された飲料のボタンの信号を信号線を介して受け、夫々対応した電磁弁に信号線を介して送信し、夫々対応した電磁弁を開閉してお湯、冷水、暖かいお茶および冷たいお茶の４種類を抽出するようになっている。なお、２２はカップである。
【０００４】
しかして、このように構成された給茶機の使用に際しては、先ず、お湯を抽出する場合は、温水ボタン２０ａを選択押圧し制御装置２１から開放信号を送信して第１のお湯用電磁弁５を開き第１のお湯用水路３から直接カップ２２にお湯を抽出する。次に暖かいお茶を抽出させる場合は、茶ボタン２０ｃを選択押圧し制御装置２１から開放信号を送信して第２のお湯用電磁弁６を開き第２のお湯用水路４から茶漉し網１８を通してカップ２２に暖かいお茶を抽出する。次に、冷水を抽出する場合、温水ボタン２０ｂを選択押圧し制御装置２１から開放信号を送信して第２の冷水用電磁弁１３を開き第２の冷水用水路１１から直接カップ２２に冷水を抽出する。次に、冷たいお茶を抽出する場合、冷茶ボタン２０ｄを選択押圧し制御装置２１から開放信号を送信して第１の冷水用電磁弁１２を開き第１の冷水用水路１０から茶漉し網１８を通してカップ２２に冷たいお茶を抽出する。
【０００５】
【発明が解決しようとする課題】
したがって、お湯、冷水、暖かいお茶および冷たいお茶の４種類を抽出するには各飲料種類に夫々に対応した４つの電磁弁と４つの水路が必要で部品点数が多くなり製品の組立作業も複雑となるとともに、製品の製作価格が高くなるなどの問題点を有していた。
【０００６】
本発明は、このような点に鑑みなされたもので、１つのお湯用水路と１つの冷水用水路と、１つのお湯用電磁弁と１つの冷水用電磁弁との少ない部品によりお湯、冷水、暖かいお茶および冷たいお茶の４種類が抽出でき、部品点数を減らして組立作業を簡単にして安価な給茶機を提供することを目的とする。
【０００７】
【課題を解決するための手段】
請求項１記載の給茶機は、湯タンクと、この湯タンクに取付けられ湯タンク内の湯を導出させる１つのお湯用水路と、このお湯用水路に設けられ湯の抽出を行うお湯用電磁弁と、冷水機と、この冷水機に取付けられ冷水機で造られた冷水を導出させる１つの冷水用水路と、この冷水用水路に取り付けられ冷水の抽出を行う冷水用電磁弁と、茶の葉を収容する原料容器と、この原料容器から排出された茶の葉を受け入れる茶漉し網と、お湯、冷水、暖かいお茶、および冷たいお茶を選択する選択ボタンとを有し、この選択ボタンの操作によりお湯または冷水の抽出が選択された場合はに移動させ、暖かいお茶または冷たいお茶の抽出が選択された場合は茶漉し網を抽出位置に移動させ、茶殻を交換させる場合は茶漉し網を排茶位置に移動反転させる制御装置を設けたものである。
【０００８】
そして、この構成により、１つのお湯用水路と１つの冷水用水路と、１つのお湯用電磁弁と１つの冷水用電磁弁を設けるだけで、お湯、冷水、暖かいお茶および、冷たいお茶の４種類が抽出できる。
【０００９】
【発明の実施の形態】
以下、本発明の一実施の形態を図面を参照して説明する。
【００１０】
【実施例】
図４に示される従来技術と同一部分は同一符号を付して説明する。図１に示されるように、１は湯タンクで、この湯タンク１内にヒータ２を内蔵するとともに、湯タンク１内の外側に１つのお湯用水路４が取り付けられ、このお湯用水路４にお湯用電磁弁６が設けられている。７は冷水機で、この冷水機７は冷水タンク８の底部外周に図示しない冷凍サイクルの冷却用コイル９が巻回されている。また、冷水タンク８の外側に１つの冷水用水路１０が取り付けられ、この冷水用水路１０冷水用電磁弁１２が設けられている。１４は茶の葉を収容する原料容器でモータ１５により駆動されるスクリュー１６が内蔵されている。１７は茶の葉交換機構で茶漉し網１８を有し、この茶漉し網１８を反転させて茶殻を適宜交換させるようになっている。また、この茶漉し網１８は図示しない横方向のスライド機構を有し、抽出位置、待機位置、排茶位置で停止されるようになっている。
【００１１】
１９は操作部で、この操作部１９にはお湯を抽出させる温水ボタン２０ａ、冷水を抽出させる冷水ボタン２０ｂ、暖かいお茶を抽出させる湯茶ボタン２０ｃおよび、冷たいお茶を抽出させる冷茶ボタン２０ｄからなる選択ボタン２０が設けられている。２１は制御装置で、この制御装置２１は選択ボタン２０から選択された飲料のボタンの信号を信号線を介して受け、お湯を抽出する場合には、お湯用電磁弁６を開放するとともに茶漉し網１８を待機位置に位置させ、また、冷水を抽出する場合には、冷水用電磁弁１２を開放するとともに茶漉し網１８を待機位置に位置させ、また、暖かいお茶を抽出する場合には、お湯用電磁弁６開放するとともに茶漉し網１８を抽出位置に位置させ、さらに、冷たいお茶抽出する場合には、冷水用電磁弁１２を開放するとともに茶漉し網１８を抽出位置に位置させて抽出させるようになっている。
【００１２】
次に、本実施の形態の作用を説明する。
【００１３】
お湯を抽出する場合、温水ボタン２０ａが選択され制御装置２１はお湯用電磁弁６を開放するとともに、茶漉し網１８を図２に示されるように待機位置に配置しお湯用水路４から直接カップ２２にお湯を抽出する。また、冷水を抽出する場合、冷水ボタン２０ｂが選択され、制御装置２１は冷水用電磁弁１２を開放するとともに、茶漉し網１８を図２に示されるように待機位置に配置し冷水用水路１０から直接カップ２２に冷水を抽出する。
【００１４】
また、暖かいお茶を抽出する場合、湯茶ボタン２０ｃが選択され制御装置２１はお湯用電磁弁６を開放するとともに、茶漉し網１８を図３に示されるように抽出位置に移動配置し、お湯用水路４からお湯を茶漉し網１８の茶の葉に通してカップ２２に暖かいお茶を抽出する。また、冷たいお茶を抽出する場合、冷茶ボタン２０ｄが選択され制御装置２１は冷水用電磁弁１２を開放するとともに、茶漉し網１８を図３に示されるように抽出位置に移動配置し、冷水用水路１０から冷水を茶漉し網１８の茶の葉に通してカップ２２に冷たいお茶を抽出する。そして、この暖かいお茶または、冷たいお茶を数回抽出した後に茶漉し網１８は排茶位置に移動され反転して茶殻入れに茶の葉が捨てられ、その後、待機位置に移動して原料容器１４から新しい茶の葉の供給を受け待機位置に移動され待機状態になる。
【００１５】
【発明の効果】
請求項１記載の給茶機によれば、１つのお湯用水路と１つの冷水用水路と、１つのお湯用電磁弁と１つの冷水用電磁弁との少ない部品によりお湯、冷水、暖かいお茶および冷たいお茶の４種類が抽出でき、部品点数を減らして作業性を簡単にして安価な給茶機を提供できる。
【図面の簡単な説明】
【図１】本発明の給茶機の一実施形態を示す構成図である。
【図２】同上、給茶機のお湯または冷水を抽出する作用を説明する説明図である。
【図３】同上、給茶機の暖かいお茶または冷たいお茶を抽出する作用を説明する説明図である。
【図４】従来の給茶機の実施形態を示す構成図である。
【符号の説明】
１    湯タンク
２    ヒータ
４    お湯用水路
６    お湯用水路
７    冷水機
１０    冷水用水路
１２    冷水用水路
１４    原料容器
１７    茶の葉交換機構
１８    茶漉し網
２０    選択ボタン
２１    制御装置
２２    カップ
【図１】
2004208743.tif 000003
【図２】
2004208743.tif 000004
【図３】
2004208743.tif 000005
【図４】
2004208743.tif 000006